(57)【要約】【課題】画像情報を記録する記録領域の情報記憶量を原因とする原稿の読取り待ちの発生頻度を低減した画像処理システムを提供する。【解決手段】原稿読取り装置は、読取り位置に置かれた原稿の主走査方向長を検出し、主走査方向情報を制御装置に通知し、原稿の読取りが終了すると、得られた原稿の副走査方向長を示す副走査方向情報を制御装置に通知し、第１記録手段に記録された画像情報を制御装置に転送し、制御装置は、主走査長に応じて定まる情報量の記録が可能な第１記録領域を第２記録手段に確保可能であれば確保し、第１記録領域が確保されたか否かに拘わらず、読取り要求を通知し、第１記録領域が確保されなかった場合に、副走査長、及び主走査長に応じて定まる情報量の記録が可能な第２記録領域が第２記録手段に確保可能であれば確保し、第１記録領域が確保された場合、又は第２記録領域が確保された場合に、転送要求を原稿読取り装置に通知する。【選択図】図３
2010187191.tif 000002
【特許請求の範囲】
【請求項１】
読取り位置に置かれた原稿の主走査方向長を検出し、該検出された主走査方向長を示す主走査方向情報を制御装置に通知する主走査方向情報通知手段と、
前記制御装置からの読取り要求に応じて、前記原稿を読取る読取り手段と、
前記読取り手段により読取られた原稿を示す画像情報が記録される第１記録手段と、
前記読取り手段により原稿の読取りが終了すると、読取りより得られた該原稿の副走査方向長を示す副走査方向情報を前記制御装置に通知する副走査方向情報通知手段と、
前記制御装置からの転送要求に応じて、前記第１記録手段に記録された画像情報を前記制御装置に転送する転送手段と、
を有する原稿読取り装置と、
前記転送要求に応じて転送された前記画像情報が記録される第２記録手段と、
前記主走査方向情報通知手段により通知された前記主走査方向情報が示す主走査長に応じて定まる情報量の記録が可能な第１記録領域を前記第２記録手段に確保可能であれば確保する第１記録領域確保手段と、
前記第１記録領域確保手段により前記第１記録領域が確保されたか否かに拘わらず、前記原稿読取り装置に前記読取り要求を通知する読取り要求通知手段と、
前記第１記録領域確保手段により前記第１記録領域が確保されなかった場合に、前記副走査方向情報通知手段により通知された前記副走査方向情報が示す副走査長、及び前記主走査長に応じて定まる情報量の記録が可能な第２記録領域が前記第２記録手段に確保可能であれば確保する第２記録領域確保手段と、
前記第１記録領域確保手段により前記第１記録領域が確保された場合、又は前記第２記録領域確保手段により前記第２記録領域が確保された場合に、前記転送要求を前記原稿読取り装置に通知する転送要求通知手段と、
を有する制御装置と、
から構成される画像処理システム。
【請求項２】
前記第１記憶領域に記録可能な情報量は、前記主走査長に加え、前記原稿読取り装置が読取り可能な最大の副走査長に応じて定まる情報量である請求項１に記載の画像処理システム。
【請求項３】
前記画像情報に基づき記録媒体に画像を形成する画像形成装置を更に有し、
前記制御装置は、前記第２記録手段に記録された画像情報を前記画像形成装置に転送する請求項１又は請求項２に記載の画像処理システム。
【請求項４】
前記第１記憶領域に記録可能な情報量は、前記主走査長に加え、前記画像形成装置が形成可能な最大の副走査長に応じて定まる情報量である請求項３に記載の画像処理システム。
【請求項５】
前記第１記憶領域に記録可能な情報量は、前記主走査長に加え、前記原稿読取り装置が読取り可能な最大の副走査長、及び前記画像形成装置が形成可能な最大の副走査長のうちの小さい方の長さに応じて定まる情報量である請求項３に記載の画像処理システム。
【発明の詳細な説明】
【技術分野】
【０００１】
本発明は、画像処理システムに関する。
【背景技術】
【０００２】
特許文献１には、原稿を読み込む前に原稿の幅のみしか検知できなくても、用紙の縦方向出力と横方向出力とを適切に選択できる技術が開示されている。
【先行技術文献】
【特許文献】
【０００３】
【特許文献１】特開２００７−１０１８９９号公報
【発明の概要】
【発明が解決しようとする課題】
【０００４】
本発明は、原稿を読取ることで得られた画像情報を記録する記録領域の情報記憶量を原因とする原稿の読取り待ちの発生頻度を低減した画像処理システムを提供することを目的とする。
【課題を解決するための手段】
【０００５】
上記目的を達成するために、請求項１の発明は、読取り位置に置かれた原稿の主走査方向長を検出し、該検出された主走査方向長を示す主走査方向情報を制御装置に通知する主走査方向情報通知手段と、前記制御装置からの読取り要求に応じて、前記原稿を読取る読取り手段と、前記読取り手段により読取られた原稿を示す画像情報が記録される第１記録手段と、前記読取り手段により原稿の読取りが終了すると、読取りより得られた該原稿の副走査方向長を示す副走査方向情報を前記制御装置に通知する副走査方向情報通知手段と、前記制御装置からの転送要求に応じて、前記第１記録手段に記録された画像情報を前記制御装置に転送する転送手段と、を有する原稿読取り装置と、前記転送要求に応じて転送された前記画像情報が記録される第２記録手段と、前記主走査方向情報通知手段により通知された前記主走査方向情報が示す主走査長に応じて定まる情報量の記録が可能な第１記録領域を前記第２記録手段に確保可能であれば確保する第１記録領域確保手段と、前記第１記録領域確保手段により前記第１記録領域が確保されたか否かに拘わらず、前記原稿読取り装置に前記読取り要求を通知する読取り要求通知手段と、前記第１記録領域確保手段により前記第１記録領域が確保されなかった場合に、前記副走査方向情報通知手段により通知された前記副走査方向情報が示す副走査長、及び前記主走査長に応じて定まる情報量の記録が可能な第２記録領域が前記第２記録手段に確保可能であれば確保する第２記録領域確保手段と、前記第１記録領域確保手段により前記第１記録領域が確保された場合、又は前記第２記録領域確保手段により前記第２記録領域が確保された場合に、前記転送要求を前記原稿読取り装置に通知する転送要求通知手段と、を有する制御装置と、から構成される。
【０００６】
また、請求項２の発明は、請求項１の発明において、前記第１記憶領域に記録可能な情報量は、前記主走査長に加え、前記原稿読取り装置が読取り可能な最大の副走査長に応じて定まる情報量であるものである。
【０００７】
また、請求項３の発明は、請求項１又は請求項２の発明において、前記画像情報に基づき記録媒体に画像を形成する画像形成装置を更に有し、前記制御装置は、前記第２記録手段に記録された画像情報を前記画像形成装置に転送するものである。
【０００８】
また、請求項４の発明は、請求項３の発明において、前記第１記憶領域に記録可能な情報量は、前記主走査長に加え、前記画像形成装置が形成可能な最大の副走査長に応じて定まる情報量である。
【０００９】
また、請求項５の発明は、請求項３の発明において、前記第１記憶領域に記録可能な情報量は、前記主走査長に加え、前記原稿読取り装置が読取り可能な最大の副走査長、及び前記画像形成装置が形成可能な最大の副走査長のうちの小さい方の長さに応じて定まる情報量である。
【発明の効果】
【００１０】
請求項１の発明によれば、本構成を有しない場合と比較して、原稿を読取ることで得られた画像情報を記録する記録領域の情報記憶量を原因とする原稿の読取り待ちの発生頻度を低減した画像処理システムを提供することができる。
【００１１】
請求項２の発明によれば、原稿読取り装置が読取り可能な最大の副走査長に応じて定める情報量が原稿読取り装置から転送される最大の情報量であるため、必要以上に第１記憶領域に記録可能な情報量を確保することを回避できる。
【００１２】
請求項３の発明によれば、原稿の読取り待ちの発生頻度を低減することで、本構成を有しない場合と比較して、より迅速に画像形成可能な画像処理システムを提供することができる。
【００１３】
請求項４の発明によれば、画像形成装置が形成可能な最大の副走査長に応じて定める情報量が原稿読取り装置から転送される最大の情報量であるため、必要以上に第１記憶領域に記録可能な情報量を確保することを回避できる。
【００１４】
請求項５の発明によれば、原稿読取り装置が読取り可能な最大の副走査長、及び画像形成装置が形成可能な最大の副走査長のうちの小さい方の長さに応じて定まる情報量が原稿読取り装置から転送される最大の情報量であるため、必要以上に第１記憶領域に記録可能な情報量を確保することを回避できる。
【図面の簡単な説明】
【００１５】
【図１】実施の形態に係る画像処理システムの構成及び機能を示す図である。
【図２】コマンドを示す図である。
【図３】画像処理システムの全体的な処理の流れを示すシーケンス図である。
【図４】読取り装置の処理の流れを示すフローチャートである。
【図５】制御装置の処理の流れを示すフローチャートである（その１）。
【図６】制御装置の処理の流れを示すフローチャートである（その２）。
【発明を実施するための形態】
【００１６】
以下、図面を参照して、本発明の実施の形態について詳細に説明する。
【００１７】
まず、図１を用いて画像処理システムの全体構成及び機能について説明する。同図に示されるように、画像処理システムは、原稿読取り装置１０、制御装置２０、及び画像形成装置３０を含んで構成される。原稿読取り装置１０と制御装置２０は通信線で接続され、種々の情報をやり取りすることができる。また、制御装置２０と画像形成装置３０は通信線で接続され、種々の情報をやり取りすることができる。
【００１８】
原稿読取り部１２は、主走査方向長検出部１１、原稿読取り部１２、副走査方向長検出部１３、第１記録部１４、及び読取り画像情報転送部１５を有する。
【００１９】
このうち、主走査方向長検出部１１は、読取り位置に置かれた原稿の主走査方向長を検出し、該検出された主走査方向長を示す主走査方向情報を制御装置２０に通知する。原稿読取り部１２は、制御装置２０からの読取り要求に応じて、原稿を読取る。具体的に例えばＣＣＤ（Charge Coupled Device）ラインセンサ等により原稿を読取るもので、このラインセンサが読取るラインと平行な方向が主走査方向であり、主走査長は主走査方向の原稿の長さを示している。副走査方向は主走査方向に対して直角な方向であり、副走査長は副走査方向の原稿の長さを示している。
【００２０】
第１記録部１４は、原稿読取り部１２により読取られた原稿を示す画像情報が記録される。副走査方向長検出部１３は、原稿読取り部１２により原稿の読取りが終了すると、読取りより得られた該原稿の副走査方向長を示す副走査方向情報を制御装置２０に通知する。読取り画像情報転送部１５は、制御装置２０からの転送要求に応じて、第１記録部１４に記録された画像情報を制御装置２０に転送する。
【００２１】
また、制御装置２０は、第２記録部２１、記録領域確保部２２、要求通知部２３、及び印刷画像情報転送部２４を有する。
【００２２】
このうち、第２記録部２１は、転送要求に応じて転送された画像情報が記録される。記録領域確保部２２は、記憶領域を確保するもので、副走査方向長検出部１３により通知された主走査方向情報が示す主走査長に応じて定まる情報量の記録が可能な第１記録領域を第２記録部２１に確保可能であれば確保する。更に、記録領域確保部２２は、副走査方向長検出部１３により通知された副走査方向情報が示す副走査長、及び主走査長に応じて定まる情報量の記録が可能な第２記録領域が前記第２記録部２１に確保可能であれば確保する。
【００２３】
要求通知部２３は、原稿読取り装置１０への要求を通知するもので、上記読取り要求及び上記転送要求を通知する。また印刷画像情報転送部２４は、第２記録部２１に記録された画像情報を画像形成装置３０に転送する。
【００２４】
また、画像形成装置３０は画像形成部３１を有する。画像形成部３１は、画像情報に基づき記録媒体に画像を形成する。
【００２５】
次に、図２を用いて、原稿読取り装置１０と制御装置２０との間でやり取りされるコマンドについて説明する。
【００２６】
同図（Ａ）は、制御装置２０から原稿読取り装置１０へのコマンド（要求、通知）を示し、同図（Ｂ）は、原稿読取り装置１０から制御装置２０へのコマンドを示している。
【００２７】
まず、制御装置２０から原稿読取り装置１０へのコマンド内容は、同図に示されるように、読取り要求及び転送要求の２種類あり、それぞれに割り当てられたコードは、0x01、0x02である。なお、0xは１６進数であることを示している。
【００２８】
このうち、読取り要求は、原稿を読取ることを要求するもので、この要求は、制御装置２０から原稿読取り装置１０へ「0x01」を通知するものである。また、転送要求は、画像情報を転送することを要求するもので、この要求は、制御装置２０から原稿読取り装置１０へ「0x02」、「イメージ幅」、及び「イメージ長」を通知するものである。なお、「イメージ幅」は、制御装置２０が上記第２記録部に記録可能な原稿の一方の辺の長さを示している。「イメージ長」は、制御装置２０が上記第２記録部に記録可能な原稿の他方の辺の長さを示している。
【００２９】
次に、制御装置２０から原稿読取り装置１０へのコマンド内容は、同図に示されるように、原稿搬送終了通知、転送終了通知及び原稿挿入通知の３種類あり、それぞれに割り当てられたコードは、0x11、0x12、0x13である。
【００３０】
このうち、原稿搬送終了通知は、原稿の搬送が終了したことを示し、原稿の搬送は原稿を読取るためのものであることから、このコマンド内容は原稿の読取りが終了したことを示すものでもある。この原稿搬送終了通知は、原稿読取り装置１０から制御装置２０へ「0x11」、及び「副走査長」を通知するものである。「副走査長」は、実際に原稿を読取ることで判明した原稿の副走査長である。
【００３１】
転送終了通知は、制御装置２０への画像情報の転送が終了したことを示すものであり、この転送終了通知は、原稿読取り装置１０から制御装置２０へ「0x12」、「イメージ幅」、「イメージ長」、及び「副走査長」を通知するものである。このうち、「イメージ幅」、「イメージ長」は上述した転送要求におけるそれと同じである。
【００３２】
原稿挿入通知は、原稿が読取り位置に置かれたことを示すものであり、この原稿挿入通知は、原稿読取り装置１０から制御装置２０へ「0x13」、及び「副走査長」を通知するものである。なお、原稿が読取り位置に置かれたことを原稿が挿入されたと表現することがある。
【００３３】
次に、図３のシーケンス図を用いて、画像処理システムの全体的な処理の流れについて説明する。この処理は、２つの原稿Ａ、Ｂをコピーする処理であり、原稿Ａに関しては、２枚のコピーを行うものである。
【００３４】
まず、原稿Ａが挿入されると、ステップ１０１で、上記原稿挿入通知が読取り装置１０から制御装置２０へ通知される。制御装置２０は、フルメモリ（第１記録領域）を確保する。このフルメモリとは、主走査長に応じて定まる情報量の記録が可能なサイズの第２記録部２１における領域を示す。主走査長に応じて定まる情報量とは、その主走査長の原稿を示す画像情報のうちで、第２記録部２１に記録可能な最大の情報量である。
【００３５】
なお、フルメモリに記録可能な情報量の他の例もある。その一つ目は、主走査長に加え、原稿読取り装置１０が読取り可能な最大の副走査長に応じて定まる情報量とするようにしても良い。これは、原稿読取り装置１０が読取り可能な最大の副走査長に応じて定める情報量が原稿読取り装置から転送される最大の情報量であるためである。
【００３６】
他の例の２つ目は、主走査長に加え、画像形成装置３０が形成可能な最大の副走査長に応じて定まる情報量とするようにしても良い。これは、画像形成装置３０が形成可能な最大の副走査長に応じて定める情報量が原稿読取り装置１０から転送される最大の情報量であるためである。
【００３７】
他の例の３つ目は、主走査長に加え、原稿読取り装置１０が読取り可能な最大の副走査長、及び画像形成装置３０が形成可能な最大の副走査長のうちの小さい方の長さに応じて定まる情報量とするようにしても良い。これは、原稿読取り装置１０が読取り可能な最大の副走査長、及び画像形成装置３０が形成可能な最大の副走査長のうちの小さい方の長さに応じて定まる情報量が原稿読取り装置１０から転送される最大の情報量であるためである。
【００３８】
なお、上記ステップ１０１においては、原稿Ａが最初の原稿であるため、フルメモリを確保することができる。
【００３９】
次のステップ１０２で、原稿読取り要求が制御装置２０から読取り装置１０へ通知される。そして、ステップ１０３で転送要求が制御装置２０から読取り装置１０へ通知される。
【００４０】
これにより、画像情報が読取り装置１０から制御装置２０へ転送され、さらにステップ１０４で制御装置２０から画像形成装置３０へ転送される。そして、画像形成装置３０によりコピーが作成される。
【００４１】
画像情報の転送が終了すると、ステップ１０５で読取り装置１０から制御装置２０へ原稿搬送終了通知が通知され、画像情報の転送が終了するとステップ１０６で転送終了通知が通知される。
【００４２】
これにより、画像情報の実際の情報量が確定するため、制御装置２０は、確保した第１記録領域でもし余った領域があるならばその領域を解放する処理であるメモリリサイズを行なう。制御装置２０は、ステップ１０７で画像形成装置３０から転送終了が通知されると２枚目のコピーのための画像情報の転送を、ステップ１０８で転送開始により再び行なう。
【００４３】
原稿読取り装置１０に新たな原稿Ｂが挿入されると、ステップ１０９で、上記原稿挿入通知が読取り装置１０から制御装置２０へ通知される。制御装置２０は、フルメモリを確保しようとするが、原稿Ａを示す画像情報が記録されているため、フルメモリの確保は失敗する。
【００４４】
フルメモリが確保されたか否かに拘わらず、ステップ１１０で原稿読取り要求が制御装置２０から読取り装置１０へ通知され、ステップ１１１で原稿読取り装置１０から制御装置２０へ原稿搬送終了通知が通知される。
【００４５】
これにより、原稿Ｂの主走査長、及び副走査長が判明するので、制御装置２０は、副走査長、及び前記主走査長に応じて定まる情報量の記録が可能なメモリ（第２記録領域）を確保する。
【００４６】
このメモリの確保により、ステップ１１２で転送要求が制御装置２０から読取り装置１０へ通知される。これにより画像情報が読取り装置１０から制御装置２０へ転送され、画像情報の転送が終了するとステップ１１３で転送終了通知が通知される。
【００４７】
ステップ１１４で画像形成装置３０から転送終了が通知されると、制御装置２０は、原稿Ａを示す画像情報を記録していた領域を解放する。そして、ステップ１１５で原稿Ｂを示す画像情報を転送するための転送開始が制御装置２０から画像形成装置３０に通知される。
【００４８】
次に、上記シーケンス図により説明した処理における読取り装置１０の処理の流れを、図４のフローチャートを用いて説明する。
【００４９】
図４（Ａ）は、原稿が挿入された際の処理の流れを示すもので、読取り装置１０は、ステップ２０１で原稿挿入通知を通知して処理を終了する。また、同図（Ｂ）は、制御装置２０から読取り要求を受信した場合の処理を示すもので、読取り装置１０は、ステップ３０１で原稿の搬送と読取りを開始し、ステップ３０２で読取りが終了すると、ステップ３０３で原稿搬送終了通知を制御装置２０に通知して処理を終了する。
【００５０】
同図（Ｃ）は、転送要求受信時の処理の流れを示すもので、読取り装置１０は、ステップ４０１で画像情報の転送を開始し、ステップ４０２で転送が終了すると、ステップ４０３で転送終了通知を制御装置２０に通知して処理を終了する。
【００５１】
次に、制御装置２０の処理の流れを、図５、図６のフローチャートを用いて説明する。いずれのフローチャートも、原稿挿入通知を受信した際の処理から開始される。
【００５２】
最初に図５のフローチャートについて説明する。まず、ステップ５０１で主走査長を保持する。ステップ５０２でフルメモリを確保できるとステップ５０３で読取り要求を通知する。そして、ステップ５０４で転送要求を通知し、ステップ５０５で転送された画像情報を更に画像形成装置３０に転送する。読取り装置１０から転送終了通知を受信すると、ステップ５０７で上述したメモリリサイズを行ない、処理を終了する。
【００５３】
一方、ステップ５０２でフルメモリを確保できなかった場合、ステップ５０８でとりあえず読取り要求を通知する。その後、ステップ５０９で原稿搬送終了通知を受信すると、ステップ５１０で副走査長を保持し、次のステップ５１１で副走査長、及び主走査長に応じて定まる情報量の記録が可能なメモリ（第２記録領域）が第２記録部２１に確保可能であれば確保する。次のステップ５１２で、メモリが確保できると、上述したステップ５０４に処理が進む。
【００５４】
従って、フルメモリ（第１記録領域）が確保された場合、又はメモリ（第２記録領域）が確保された場合に、転送要求を原稿読取り装置１０に通知する。
【００５５】
次に図６のフローチャートについて説明する。まず、ステップ６０１で主走査長を保持する。ステップ６０２でフルメモリを確保できるとステップ６０３で読取り要求を通知する。そして、ステップ６０４で転送要求を通知し、ステップ６０５で転送された画像情報を更に画像形成装置３０に転送する。読取り装置１０から転送終了通知を受信すると、ステップ６０７で上述したメモリリサイズを行ない、処理を終了する。
【００５６】
一方、ステップ６０２でフルメモリを確保できなかった場合、ステップ６０８でとりあえず読取り要求を通知する。その後、ステップ６０９で、フルメモリ確保待ち又は原稿搬送終了通知の受信待ちとなっている状態でフルメモリを確保できた場合には、上述したステップ６０４に処理が進む。
【００５７】
一方、ステップ６０９で、原稿搬送終了通知を受信した場合には、ステップ６１０で副走査長を保持し、次のステップ６１１で副走査長、及び主走査長に応じて定まる情報量の記録が可能なメモリ（第２記録領域）が第２記録部２１に確保可能であれば確保する。次のステップ６１２で、メモリが確保できると、上述したステップ６０４に処理が進む。
【００５８】
従って、この図６のフローチャートの場合も、フルメモリ（第１記録領域）が確保された場合、又はメモリ（第２記録領域）が確保された場合に、転送要求を原稿読取り装置１０に通知する。
【００５９】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【符号の説明】
【００６０】
１０  読取り装置
１１  主走査方向長検出部
１２  原稿読取り部
１３  副走査方向長検出部
１４  第１記録部
１５  読取り画像情報転送部
２０  制御装置
２１  第２記録部
２２  記録領域確保部
２３  要求通知部
２４  印刷画像情報転送部
３０  画像形成装置
３１  画像形成部
【図１】
2010187191.tif 000003
【図２】
2010187191.tif 000004
【図３】
2010187191.tif 000005
【図４】
2010187191.tif 000006
【図５】
2010187191.tif 000007
【図６】
2010187191.tif 000008